(57)【要約】【課題】鉄筋工事の配筋作業の作業者等が、現在作業中の工区の次の工区における建築部材の構造に対応した仕込み作業を適切に行うことができるようにする。【解決手段】配筋作業支援システム１が、次の構成を備える。すなわち、鉄筋工事の配筋作業における作業対象の建築部材及び作業対象の工区を特定する対象特定部３２と、建築施工図から抽出された、各建築部材の構造情報を参照して、作業対象の工区における作業対象の建築部材の構造と、当該作業対象の工区の次の工区における当該作業対象の建築部材の構造又は当該建築部材と連続して配置される建築部材の構造との比較を行う比較部３３と、比較を行なった結果を示す情報を出力する出力部３８とを備える。【選択図】図６
2016108846.tif 000002
【特許請求の範囲】
【請求項１】
鉄筋工事の配筋作業における作業対象の建築部材及び作業対象の工区を特定する対象特定部と、
建築施工図から抽出された、各建築部材の構造情報を参照して、前記作業対象の工区における前記作業対象の建築部材の構造と、当該作業対象の工区の次の工区における前記作業対象の建築部材の構造又は前記作業対象の建築部材と連続して施工される建築部材の構造との比較を行う比較部と、
前記比較を行なった結果を示す情報を出力する出力部と
を備えた配筋作業支援システム。
【請求項２】
前記建築部材が柱であり、
前記対象特定部は、作業対象の柱、及び高さ方向における工区の割付けに対応する作業対象の階を特定し、
前記比較部は、前記作業対象の階における前記作業対象の柱と、当該作業対象の階の上階において前記作業対象の柱と連続して施工される柱とにおける寸法又は配筋情報の少なくともいずれか一方の比較を行う、請求項１記載の配筋作業支援システム。
【請求項３】
前記建築部材が梁であり、
前記対象特定部は、作業対象の梁、及び平面方向における工区の割付けに対応する作業対象の工区を特定し、
前記比較部は、前記建築施工図の平面図上に描画された、工区を区切る工区境界線が、前記作業対象の梁と交差しているときに、前記工区境界線が前記作業対象の梁と交差している位置に応じて、前記作業対象の工区における前記作業対象の梁の部位及び当該作業対象の工区に隣接する次の工区に含まれる前記作業対象の梁の部位を特定し、前記作業対象の工区における前記作業対象の梁の部位の配筋情報と、当該作業対象の工区に隣接する工区に含まれる前記作業対象の梁の部位の配筋情報との比較を行う、請求項１記載の配筋作業支援システム。
【請求項４】
前記建築部材が床であり、
前記対象特定部は、作業対象の床、及び平面方向における工区の割付けに対応する作業対象の工区を特定し、
前記比較部は、前記建築施工図の平面図上に描画された、工区を区切る工区境界線が、前記作業対象の床と交差しているときに、前記工区境界線が前記作業対象の床と交差している位置に応じて、前記作業対象の工区における前記作業対象の床の部位及び当該作業対象の工区に隣接する次の工区に含まれる前記作業対象の床の部位を特定し、前記作業対象の工区における前記作業対象の床の部位の配筋情報と、当該作業対象の工区に隣接する工区に含まれる前記作業対象の床の部位の配筋情報との比較を行う、請求項１記載の配筋作業支援システム。
【請求項５】
前記建築部材が壁であり、
前記対象特定部は、作業対象の壁、及び高さ方向における工区の割付けに対応する作業対象の階を特定し、
前記比較部は、前記作業対象の階における前記作業対象の壁の位置情報と、当該階の上階において前記作業対象の壁と連続して施工される壁の位置情報の比較を行う、請求項１記載の配筋作業支援システム。
【請求項６】
前記出力部は、前記比較において、前記作業対象の工区における前記作業対象の建築部材の構造と、当該作業対象の工区の次の工区における前記作業対象の建築部材の構造又は前記作業対象の建築部材と連続して施工される建築部材の構造とが異なっていたときに、警告メッセージ及び異なっている部分の構造を識別可能な情報を出力する、請求項１〜５のいずれか１項に記載の配筋作業支援システム。
【請求項７】
前記出力部は、前記作業対象の工区における前記作業対象の建築部材の構造情報と、当該作業対象の工区の次の工区における前記作業対象の建築部材の構造情報又は前記作業対象の建築部材と連続して施工される建築部材の構造情報とをさらに出力する、請求項１〜６のいずれか１項に記載の配筋作業支援システム。
【請求項８】
前記対象特定部は、入力手段を介して入力された情報に基づいて、前記作業対象の建築部材及び作業対象の工区を特定する、請求項１〜７のいずれか１項に記載の配筋作業支援システム。
【請求項９】
鉄筋工事の配筋作業における作業対象の階を特定する対象特定部と、
建築施工図の平面図から抽出された、各階における壁の位置情報を参照して、前記作業対象の階における壁の位置情報と、当該作業対象の階の上階における壁の位置情報との比較を行う比較部と、
前記比較を行なった結果を示す情報を出力する出力部と
を備えた配筋作業支援システム。
【請求項１０】
鉄筋工事の配筋作業における作業対象の建築部材及び作業対象の工区を特定し、
建築施工図から抽出された、各建築部材の構造情報を参照して、前記作業対象の工区における前記作業対象の建築部材の構造と、当該作業対象の工区の次の工区における前記作業対象の建築部材の構造又は前記作業対象の建築部材と連続して施工される建築部材の構造との比較を行い、
前記比較を行なった結果を示す情報を出力する
処理をコンピュータが実行する配筋作業支援方法。
【請求項１１】
鉄筋工事の配筋作業における作業対象の建築部材及び作業対象の工区を特定し、
建築施工図から抽出された、各建築部材の構造情報を参照して、前記作業対象の工区における前記作業対象の建築部材の構造と、当該作業対象の工区の次の工区における前記作業対象の建築部材の構造又は前記作業対象の建築部材と連続して施工される建築部材の構造との比較を行い、
前記比較を行なった結果を示す情報を出力する
処理をコンピュータに実現させる配筋作業支援プログラム。
【発明の詳細な説明】
【技術分野】
【０００１】
本発明は、鉄筋工事における配筋作業を支援する技術に関する。
【背景技術】
【０００２】
鉄筋工事においては、建築施工図に基づいて鉄筋を配置する配筋作業が行なわれる。このような配筋作業における正確性は、鉄筋コンクリート構造物における耐力や耐久性を左右するため重要である。そこで、例えば非特許文献１には、配筋検査に情報機器を活用した配筋検査支援システムが提案されている。本システムでは、施工現場における利用に先立って、配筋検査に必要な構造図等のデータを取り込む。このとき、ＣＡＤ（Computer Aided Design）データをイメージデータに変換する、又は紙図面などをスキャナなどで取り込む。また、柱や梁等の断面リストを、符号と階とで所定の図面を呼び出せるように、表形式を指定して取り込む。さらに、検査対象とする建築部材と建築部材ごとの確認項目とを設定し、施工現場での検査前に、ＰＤＡ（Personal Digital Assistant）に当該データを送信する。そして、施工現場での検査の際に、ＰＤＡにおいて検査箇所を平面図上のアイコンとして表示し、アイコンが選択されると、当該検査箇所の構造図を表示する。
【先行技術文献】
【非特許文献】
【０００３】
【非特許文献１】金子智弥、他５名、「全数検査記録に対応した配筋検査支援システム」、大林組技術研究所報  No.74、株式会社大林組、2010年1月
【発明の概要】
【発明が解決しようとする課題】
【０００４】
ここで、一般的な鉄筋工事においては、施工対象の構造物全体を、高さ方向と平面方向にそれぞれ分割し、分割した１つの作業単位の範囲である工区ごとに作業を行う。そして、それぞれの工区における配筋作業においては、現在作業中の工区における建築部材（例えば、柱、梁、床及び壁等）と次の工区における建築部材とを接合するため、必要に応じて差筋等の仕込み作業を行う。このとき、特に、現在作業中の工区で施工する各建築部材の構造が次の工区における構造と異なるときに、現在作業中の工区において、その相違に応じた仕込みを予め施しておく必要がある場合がある。
【０００５】
しかし、一般的に、現在作業中の工区の図面には、次の工区の建築部材の施工に備えた仕込み作業に関連する情報は含まれていない。また、前述した配筋検査支援システム等においても、配筋作業の作業者等がそれぞれの工区の配筋作業に備えてこのような情報を参照することは想定されていない。このため、次の工区における建築部材の構造に備えた仕込み作業を行なっておくことを忘れてしまうミスが発生しやすい状況であった。
【０００６】
本発明は上記問題点に鑑みてなされたものであり、作業者等が、現在作業中の工区の次の工区における建築部材の構造に対応した仕込み作業を適切に行うことができるようにすることを目的とする。
【課題を解決するための手段】
【０００７】
本発明は、コンピュータにおいて、鉄筋工事の配筋作業における作業対象の建築部材及び作業対象の工区を特定する。そして、建築施工図から抽出された、各建築部材の構造情報を参照して、作業対象の工区における作業対象の建築部材の構造と、作業対象の工区の次の工区における作業対象の建築部材の構造又は作業対象の建築部材と連続して施工される建築部材の構造との比較を行い、比較を行なった結果を示す情報を出力する。
【発明の効果】
【０００８】
本発明によれば、配筋作業の作業者等が、現在作業中の工区と次の工区とにおける建築部材の構造の比較結果を参照することができる。このため、作業者等が、現在作業中の工区の次の工区における建築部材の構造に対応した仕込み作業を適切に行うことができるようになる。
【図面の簡単な説明】
【０００９】
【図１】本実施形態における工区の割付けの一例を示す説明図であり、（Ａ）は高さ方向の工区の割付けの一例、（Ｂ）は平面方向の工区の割付けの一例の説明図である。
【図２】本実施形態における柱の作業進行方向の一例の説明図である。
【図３】本実施形態における梁の作業進行方向の一例の説明図である。
【図４】本実施形態における床の作業進行方向の一例の説明図である。
【図５】本実施形態における壁の作業進行方向の一例の説明図である。
【図６】本実施形態における配筋作業支援システムの構成の一例を示すブロック図である。
【図７】本実施形態におけるＣＡＤデータの平面図（１階部分）の一例を示す図である。
【図８】本実施形態におけるＣＡＤデータの平面図（２階部分）の一例を示す図である。
【図９】本実施形態におけるＣＡＤデータの平面図（３階部分）の一例を示す図である。
【図１０】本実施形態におけるＣＡＤデータの柱リストの一例を示す図である。
【図１１】本実施形態における柱リスト情報のデータ構造の一例を示す図である。
【図１２】本実施形態におけるＣＡＤデータの梁リストの一例を示す図である。
【図１３】本実施形態における梁リスト情報のデータ構造の一例を示す図である。
【図１４】本実施形態における梁の部位の一例を示す説明図である。
【図１５】本実施形態におけるＣＡＤデータの床リストの一例を示す図である。
【図１６】本実施形態における床リスト情報のデータ構造の一例を示す図である。
【図１７】本実施形態における床の部位の一例を示す説明図である。
【図１８】本実施形態におけるＣＡＤデータの壁リストの一例を示す図である。
【図１９】本実施形態における壁リスト情報のデータ構造の一例を示す図である。
【図２０】本実施形態における配筋作業支援システムを用いた配筋作業の全体の流れの一例を示すシーケンス図である。
【図２１】本実施形態におけるサーバの処理の一例を示すフローチャートである。
【図２２】本実施形態における作業指示端末の全体処理の一例を示すフローチャートである。
【図２３】本実施形態における柱比較処理の一例を示すフローチャートである。
【図２４】本実施形態における梁比較処理の一例を示すフローチャートである。
【図２５】本実施形態における床比較処理の一例を示すフローチャートである。
【図２６】本実施形態における壁比較処理の一例を示すフローチャートである。
【図２７】本実施形態における壁比較処理の変形例を示すフローチャートである。
【図２８】本実施形態における作業指示端末の入力画面の一例を示す図である。
【図２９】本実施形態における作業指示端末の出力画面の一例を示す図である。
【図３０】本実施形態におけるサーバ及び作業指示端末のハードウェア構成の一例を示す図である。
【発明を実施するための形態】
【００１０】
以下、添付された図面を参照し、本発明を実施するための実施形態について詳述する。
〔１．本実施形態における定義説明等〕
まず、本実施形態における工区の定義について、図１を参照しながら説明する。施工対象の構造物全体を、高さ方向と平面方向にそれぞれ分割し、分割した１つの作業単位の範囲を工区という。
【００１１】
図１（Ａ）は、高さ方向の工区の割付けの一例を示している。高さ方向の工区は、階ごとに割付けられる。図１（Ａ）は、施工対象の構造物の階を模式的に表しており、施工作業は、図１（Ａ）の矢印で示す順序で、下階から上階へと順に進行する。本明細書では、現在作業中（作業対象）の階をＮ階とし、１つ下の階（１つ前に作業する階）をＮ−１階、１つ上の階（次に作業する階）をＮ＋１階として説明する（他の階も同様とする）。
【００１２】
図１（Ｂ）は、平面方向の工区の割付けの一例を示している。平面方向の工区は、１つの階が直線で区切られた工区（領域）ごとに割付けられる。図１（Ｂ）は、施工対象の構造物の１つの階の平面図を模式的に表しており、施工作業は、一例として、図１（Ｂ）の矢印で示すような順序で進行する。本実施形態では、現在作業中（作業対象）の工区をＮ工区とし、前の工区（１つ前に作業する工区）の階をＮ−１工区、次の工区（次に作業する工区）をＮ＋１工区として説明する（他の工区も同様とする）。
【００１３】
なお、本明細書において、「工区」という記載は、場合に応じて、高さ方向の工区の割付けに対応する「階」、及び平面方向の工区の割付けに対応する「工区」の両方を含んだ概念、又は、平面方向の工区の割付けに対応する「工区」のみを含んだ概念のいずれかを示す。高さ方向の工区の割付けのみを示す場合には、「階」として記載する。また、本実施形態において、「作業対象の工区の次の工区」と記載した場合、高さ方向においては作業対象の階の次の階（１つ上の階）が該当し、平面方向においては、作業対象の工区に隣接する工区であり、作業対象の工区に続けて作業をする工区が該当する。平面方向の各工区についてどのような順番で作業するかは、一律で決まっていることを前提として処理をしてもよいし、例えば、工区を特定可能な情報と、施工する順番を示す情報を対応付けて記憶手段に格納しておき、当該情報を参照して次の工区を特定できるようにしてもよい。
【００１４】
また、建築部材の種類別に、施工作業の進行方向について説明する。なお、本実施形態では、建築部材の種類を「柱、梁、床及び壁」とするが、建築部材の種類はこれらに限定されるものではない。
図２は、柱における作業進行方向を示す。平面図上において同じ位置に存在し、連続して施工される柱の施工作業は、高さ方向の工区の割付け、すなわち、Ｎ階からＮ＋１階へと進行する。そして、Ｎ＋１階における作業段階で、Ｎ階の柱主筋とＮ＋１階の柱主筋とを接合する作業が発生する。このため、Ｎ階における柱の配筋作業において、Ｎ＋１階の柱主筋との接合に備え、Ｎ＋１階の柱の構造にあわせた仕込み作業を行っておく必要がある。
【００１５】
図３は、梁における作業進行方向を示す。工区をまたがる１つの梁の施工作業は、平面方向の工区の割付け、すなわち、Ｎ工区からＮ＋１工区へと進行する。そして、Ｎ＋１工区における作業段階で、Ｎ工区の梁主筋とＮ＋１工区の梁主筋とを接合する作業が発生する。このため、Ｎ工区の配筋作業において、Ｎ＋１工区の梁主筋との接合に備え、Ｎ＋１工区の梁の構造にあわせた仕込み作業を行っておく必要がある。
【００１６】
図４は、床における作業進行方向を示す。工区をまたがる１つの床の施工作業は、平面方向の工区の割付け、すなわち、Ｎ工区からＮ＋１工区へと進行する。そして、Ｎ＋１工区における作業段階で、Ｎ工区の床筋とＮ＋１工区の床筋とを接合する作業が発生する。このため、Ｎ工区の配筋作業において、Ｎ＋１工区の床筋との接合に備え、Ｎ＋１工区の床の構造にあわせた仕込み作業を行っておく必要がある。
【００１７】
図５は、壁における作業進行方向を示す。平面図上において同じ位置に存在し、連続して施工される壁の施工作業は、高さ方向の工区の割付け、すなわち、Ｎ階からＮ＋１階へと作業が進行する。そして、Ｎ階とＮ＋１階において同じ位置に壁がある場合には、Ｎ＋１階における作業段階で、Ｎ階の壁筋とＮ＋１階の壁筋とを接合する作業が発生する。このため、Ｎ階の配筋作業において、Ｎ＋１階において同じ位置に壁がある場合、又はない場合のそれぞれに対応した仕込み作業を行っておく必要がある。
【００１８】
〔２．配筋作業支援システムの全体構成〕
図６は、本実施形態における配筋作業支援システム１の構成の一例を示すブロック図である。本実施形態において例示する配筋作業支援システム１は、サーバ２及び作業指示端末３を備える。サーバ２は、事務所内等に設置された情報処理装置である。作業指示端末３は、配筋作業を行う現場において作業者等が携帯する情報処理装置であり、一例として、タブレット型端末等である。サーバ２及び作業指示端末３は、無線ネットワークであるネットワーク４を介して通信をすることが可能である。
【００１９】
〔２−１．サーバ及び作業指示端末の機能構成〕
次に、サーバ２及び作業指示端末３の機能構成について、引き続き図６を参照しながら説明する。
サーバ２は、プログラムがロードされて実行され、記憶手段に格納されたデータの演算や加工を行うことによって諸機能が実現される、ＣＡＤデータ読込部１１、工区境界線設定部１２、データ抽出部１３及び抽出データ送信部１４を備える。また、サーバ２は、記憶手段において、建築施工図のＣＡＤデータ２１を備える。ＣＡＤデータ２１は、平面図２２、柱リスト２３、梁リスト２４、床リスト２５及び壁リスト２６を含む。
【００２０】
ＣＡＤデータ読込部１１は、ＣＡＤデータ２１に含まれる平面図２２、柱リスト２３、梁リスト２４、床リスト２５及び壁リスト２６を読み込む。
工区境界線設定部１２は、ＣＡＤデータ読込部１１において読み込んだ平面図２２に対し、工区境界線の設定を行う。工区境界線は、平面図上において平面方向の工区の境界に描画される直線であり、例えば、施工図の設計者や工事管理者、担当者等が、サーバ２の入力手段を介して、読み込んだ平面図上に描画する。
【００２１】
データ抽出部１３は、ＣＡＤデータ２１の柱リスト２３、梁リスト２４、床リスト２５及び壁リスト２６から、各建築部材の構造を示す情報をそれぞれ抽出する。また、データ抽出部１３は、工区境界線設定部１２において平面図２２に対し工区境界線が設定されたデータを抽出する。
抽出データ送信部１４は、工区境界線を含んだ平面図及び各建築部材の情報を含んだ抽出データを、作業指示端末３側に送信する。
【００２２】
次に、作業指示端末３の機能構成について説明する。
作業指示端末３は、プログラムがロードされて実行され、記憶手段に格納されたデータの演算や加工を行うことによって諸機能が実現される、抽出データ受信部３１、対象特定部３２、構造比較部３３（柱比較部３４、梁比較部３５、床比較部３６及び壁比較部３７）並びに出力部３８を備える。また、作業指示端末３は、記憶手段において、サーバ２から受信した抽出データ４１を備える。抽出データ４１は、平面図情報４２、柱リスト情報４３、梁リスト情報４４、床リスト情報４５及び壁リスト情報４６を含む。
【００２３】
抽出データ受信部３１は、サーバ２から抽出データ４１を受信して、記憶手段に格納する。なお、抽出データ４１は、当該データの受信側である作業指示端末３のみならず、送信側のサーバ２においても記憶手段に保持される。しかし、図１ではサーバ２側における図示を省略し、当該抽出データ４１を受信して記憶手段に格納する作業指示端末３側においてのみ図示している。
対象特定部３２は、配筋作業における作業対象の建築部材及び作業対象の工区を特定する。作業対象の建築部材及び作業対象の工区は、一例として、配筋作業の作業者等が、作業指示端末３の入力手段を介して入力する。
【００２４】
構造比較部３３は、抽出データ４１を参照し、作業対象の工区における作業対象の建築部材の構造と、当該作業対象の工区の次の工区における当該作業対象の建築部材の構造又は当該建築部材と連続して施工される建築部材の構造との比較を行う。より詳細には、構造比較部３３は、柱比較部３４、梁比較部３５、床比較部３６及び壁比較部３７を備える。それぞれの機能等の詳細については後の処理説明において詳述する。
出力部３８は、構造比較部３３において比較を行なった結果を示す情報を出力する。一例として、出力部３８は、作業指示端末３のディスプレイに当該情報を表示する。
【００２５】
〔２−２．サーバ及び作業指示端末が備えるデータの詳細〕
次に、サーバ２及び作業指示端末３が備えるデータの詳細について、さらに図７〜図１９を参照しながら説明する。前述したように、サーバ２は、記憶手段において、建築施工図のＣＡＤデータ２１を備える。ＣＡＤデータ２１は、平面図２２、柱リスト２３、梁リスト２４、床リスト２５及び壁リスト２６を含む。また、作業指示端末３は、記憶手段において、サーバ２から受信した抽出データ４１を備える。抽出データ４１は、平面図情報４２、柱リスト情報４３、梁リスト情報４４、床リスト情報４５及び壁リスト情報４６を含む。
【００２６】
図７〜図９は、ＣＡＤデータ２１の平面図２２の一例を示しており、図７が１階部分、図８が２階部分、図９が３階部分を示している。平面図２２に示されている符号（Ｃ１、Ｓ１等）は、各建築部材を識別する符号（識別子の一例）である。原則として、各階を通して同一の箇所にある建築部材には、同一の符号が付される。各建築部材の符号は、後に説明する図１０の柱リスト２３、図１２の梁リスト２４、図１５の床リスト２５及び図１８の壁リスト２６に記載された符号と対応している（但し、これらの各図では、図示の都合上、図７〜図９の平面図２２に対応する建築部材の符号の一部の例のみを含んでいる）。
【００２７】
ここで、図７〜図９では、読み込み前のＣＡＤデータ２１の平面図２２に加え、工区境界線もあわせて示している。この工区境界線は、前述したように、ユーザが、読み込んだＣＡＤデータ２１の平面図２２上に描画するものである。抽出データ４１の平面図情報４２は、工区境界線が示された当該図７〜図９と同様の内容である。
【００２８】
図１０は、ＣＡＤデータ２１の柱リスト２３の一例を部分的に示している。そして、図１１は、柱リスト２３から抽出される柱リスト情報４３のデータ構造を示している。柱リスト情報４３には、柱リスト２３から抽出された各項目に対応する数値等が、図１１に示すようなデータ構造で格納される。柱リスト２３及び柱リスト情報４３は、一例として、階を示す情報、符号、断面（断面形状）の寸法、主筋の本数及び径、フープ及びタイフープの径及び間隔の項目を含む。
【００２９】
図１２は、ＣＡＤデータ２１の梁リスト２４の一例を部分的に示している。そして、図１３は、梁リスト２４から抽出される梁リスト情報４４のデータ構造を示している。梁リスト情報４４には、梁リスト２４から抽出された各項目に対応する数値等が、図１３に示すようなデータ構造で格納される。梁リスト２４及び梁リスト情報４４は、まず、階を示す情報及び符号の情報を含む。ここで、梁は、端部及び中央部の部位を有し、端部と中央部とで配筋が同じ場合と異なる場合とがある。なお、図１４は、梁の端部及び中央部について説明する図である。本実施形態においては、全ての梁において、梁の端部は、梁の両端から、梁全体の長さ（Ｌ）の４分の１（Ｌ／４）の範囲であると一律で決めているものとする。そして、梁リスト２４及び梁リスト情報４４のデータ構造は、端部と中央部のそれぞれについて、断面（断面形状）の寸法、上端筋及び下端筋の本数及び径、並びにスターラップ及び中スターラップの径及び間隔の情報を含む。なお、ＣＡＤデータ２１の梁リスト２４においては、端部と中央部とで配筋が同じ場合、図１２の３階の符号Ｇ１の例で示されるように、梁全体の情報のみが含まれる。この場合、梁リスト情報４４においては、端部と中央部とで同じ情報が含まれることとなる。
【００３０】
図１５は、ＣＡＤデータ２１の床リスト２５の一例を部分的に示している。そして、図１６は、床リスト２５から抽出される床リスト情報４５のデータ構造を示している。床リスト情報４５には、床リスト２５から抽出された各項目に対応する数値等が、図１６に示すようなデータ構造で格納される。床リスト２５及び床リスト情報４５は、まず、符号、タイプ及び厚さの情報を含む。ここで、床は、周辺部及び中間部の部位を有し、周辺部と中間部とで配筋が同じ場合と異なる場合とがある。なお、図１７は、床における周辺部及び中間部について説明する図である。本実施形態において、全ての床において、床の周辺部は、床の各辺の端から、床の短辺方向の長さ（Ｌ）の４分の１（Ｌ／４）の範囲であると一律で決めているものとする。そして、床リスト２５及び床リスト情報４５のデータ構造は、床の上端筋及び下端筋のそれぞれについて、短辺方向と長辺方向のそれぞれの周辺部及び中間部（より詳細には端部及び中央部）の本数及び太さの情報を含む。なお、図１５の上端筋及び下端筋の欄において、矢印で表記されている部分は、矢印の左欄に記載された本数及び太さと同じであることを意味している。
【００３１】
図１８は、ＣＡＤデータ２１の壁リスト２６の一例を部分的に示している。そして、図１９は、壁リスト２６から抽出される壁リスト情報４６のデータ構造を示している。壁リスト情報４６には、壁リスト２６から抽出された各項目に対応する数値等が、図１９に示すようなデータ構造で格納される。壁リスト２６及び壁リスト情報４６は、符号、タイプ、ふかし厚、並びに縦筋、横筋及び幅止め筋の太さ及びピッチの情報を含んでいる。
【００３２】
〔３．配筋作業支援システムを用いた配筋作業の全体の流れ〕
次に、このようなサーバ２及び作業指示端末３を備えた配筋作業支援システム１を用いた配筋作業の全体の流れの一例について、図２０を参照しながら説明する。
【００３３】
ステップＳ１：鉄筋工事の現場の作業者等が、施工作業を開始する。そして、施工作業を開始した旨を、事務所側に通知する。
ステップＳ２：事務所側の担当者等が、建築施工図のＣＡＤデータ２１を読み込むようにサーバ２に指示を入力する。サーバ２は、当該指示に応じてＣＡＤデータ２１を読み込む。
ステップＳ３：事務所側の担当者等が、サーバ２を操作し、読み込んだＣＡＤデータ２１の平面図２２に対して工区境界線を描画する。サーバ２は、当該工区境界線を平面図２２に設定する。
【００３４】
ステップＳ４：事務所側の担当者等が、ＣＡＤデータ２１から各建築部材の情報を抽出するようにサーバ２に指示を入力する。サーバ２は、当該指示に応じてＣＡＤデータ２１から各建築部材の情報等を抽出し、これらの抽出した情報及び工区境界線を含んだ平面図を含んだ抽出データ４１を生成する。
ステップＳ５：サーバ２は、抽出データ４１を作業指示端末３に送信する。
ステップＳ６：現場において、作業指示端末３が、抽出データ４１をサーバ２から受信する。
ステップＳ７：現場の作業者等が、作業指示端末３に対して、作業対象の建築部材及び作業対象の工区を特定する情報を入力する。
【００３５】
ステップＳ８：作業指示端末３が、抽出データ４１を参照し、作業対象の工区における作業対象の建築部材の構造と、当該作業対象の工区の次の工区における当該作業対象の建築部材又は当該建築部材に連続して施工される建築部材の構造との比較を行う。そして、作業指示端末３は、比較結果をディスプレイに表示する。
ステップＳ９：現場の作業者等が、作業指示端末３において表示された比較結果を参照し、次の工区に備えた仕込み作業が必要であれば、当該作業を行う。
【００３６】
ステップＳ１０：現場の作業者等が、作業指示端末３に対して作業結果を入力する。一例として、作業結果は、作業した施工部分の写真等を作業指示端末３に取り込んだりしてもよい。そして、現場の作業者等は、作業結果を事務所側に通知する。なお、当該作業結果の入力や通知等に関連する機能については、図６において図示を省略している。
ステップＳ１１：事務所側の担当者等は、現場の作業者等から通知された作業結果を確認する。その後、施工作業を終了する。
【００３７】
なお、本実施形態では、ステップＳ７において、１つの作業対象の建築部材及び作業対象の工区が特定できる情報が入力されるものとする。そして、ステップＳ７〜ステップＳ１０は、作業対象の建築部材及び作業対象の工区が変わる毎に繰り返し行われる。
【００３８】
〔４．サーバ及び作業指示端末が実行する処理の詳細〕
次に、当該配筋作業支援システム１のうち、サーバ２及び作業指示端末３が実行する処理の詳細について、図２１〜図２７を参照しながら説明する。
【００３９】
〔４−１．サーバの処理〕
図２１は、サーバ２のＣＡＤデータ読込部１１、工区境界線設定部１２、データ抽出部１３及び抽出データ送信部１４が実行する処理を示す。なお、当該処理は、前述した配筋作業の全体の流れにおけるステップＳ２〜ステップＳ５に対応する。
ステップＳ２１：ＣＡＤデータ読込部１１は、記憶手段に格納されたＣＡＤデータ２１の平面図２２、柱リスト２３、梁リスト２４、床リスト２５及び壁リスト２６を読み込む。
【００４０】
ステップＳ２２：工区境界線設定部１２は、ＣＡＤデータ２１の平面図２２をディスプレイに表示し、担当者による工区境界線の描画入力を受け付ける。そして、平面図２２に対して工区境界線を設定し、当該工区境界線が設定された図を別途保存する（図６において当該データの図示省略）。
ステップＳ２３：データ抽出部１３は、ＣＡＤデータ２１の柱リスト２３、梁リスト２４、床リスト２５及び壁リスト２６から、各建築部材の構造を示す情報を抽出し、柱リスト情報４３、梁リスト情報４４、床リスト情報４５及び壁リスト情報４６を含んだ抽出データ４１を生成する。なお、このようなＣＡＤデータ２１のリストからの情報の抽出は、例えば、リストを囲む四角形の領域を識別し、当該領域に含まれる線分で区切られたテキストの情報や、ＣＡＤデータの寸法線に隣接するテキストを識別することによって行うことが可能である。一例として、特開平６−９６１４０号公報等においても、ＣＡＤデータから各種データを抽出する方法について記載されている。また、データ抽出部１３は、平面図２２に対して工区境界線が設定された図を、平面図情報４２として抽出する。
ステップＳ２４：抽出データ送信部１４は、平面図情報４２、柱リスト情報４３、梁リスト情報４４、床リスト情報４５及び壁リスト情報４６を含んだ抽出データ４１を、作業指示端末３に送信する。
【００４１】
〔４−２．作業指示端末の処理〕
図２２は、作業指示端末３の抽出データ受信部３１、対象特定部３２、構造比較部３３（柱比較部３４、梁比較部３５、床比較部３６及び壁比較部３７）並びに出力部３８が実行する全体処理を示す。なお、当該処理は、前述した配筋作業の全体の流れにおけるステップＳ６〜ステップＳ８に対応する。
【００４２】
ステップＳ３１：抽出データ受信部３１は、サーバ２から抽出データ４１（平面図情報４２、柱リスト情報４３、梁リスト情報４４、床リスト情報４５及び壁リスト情報４６）を受信し、記憶手段に格納する。
ステップＳ３２：対象特定部３２は、作業対象の建築部材及び作業対象の工区を特定する。具体的には、対象特定部３２は、一例として、作業対象の建築部材及び作業対象の工区を示す情報を入力する入力画面を、作業指示端末３のディスプレイに表示する。そして、作業者が当該入力画面を介して入力した、作業対象の建築部材及び作業対象の工区を示す情報を取得し、当該情報に基づいて作業対象の建築部材及び作業対象の工区を特定する。なお、入力画面例については後述する。
【００４３】
ここで、作業対象の建築部材及び作業対象の工区を示す情報は、建築部材の種類（柱、梁、床及び壁）によって異なる。その詳細については後述する。なお、作業対象の建築部材を特定する情報によって工区が一意に特定可能である場合には、工区を示す情報の入力及び取得は必須ではない。
ステップＳ３３：構造比較部３３は、特定された作業対象の建築部材の種類に応じて異なる処理を実行する。作業対象の建築部材が柱の場合にはステップＳ３４に進み、梁の場合にはステップＳ３５に進み、床の場合にはステップＳ３６に進み、壁の場合にはステップＳ３７に進む。
【００４４】
ステップＳ３４：柱比較部３４は、柱比較処理を実行する。なお、柱比較処理の詳細については後述する。
ステップＳ３５：梁比較部３５は、梁比較処理を実行する。なお、梁比較処理の詳細については後述する。
ステップＳ３６：床比較部３６は、床比較処理を実行する。なお、床比較処理の詳細については後述する。
ステップＳ３７：壁比較部３７は、壁比較処理を実行する。なお、壁比較処理の詳細については後述する。
【００４５】
ステップＳ３８：出力部３８は、各処理による比較結果に基づいて決定された、作業者に対する提示内容を含んだ出力画面を、作業指示端末３のディスプレイに表示する。なお、提示内容の詳細及び出力画面例については後述する。
ステップＳ３９：構造比較部３３は、施工工事における配筋作業全体が終了したか否かを判定し、終了していれば処理を終了し、終了していなければステップＳ３２に戻る。なお、当該判定は、例えば、作業者による作業終了指示の入力操作等に基づいて行ってもよいし、抽出データ４１に含まれる全ての建築部材についての比較処理が完了したことを以って行ってもよい。
【００４６】
〔４−２−１．柱比較処理〕
次に、柱比較処理の一例について、図２３を参照しながら説明する。ここで、柱の場合、前述のステップＳ３２で記載した作業対象の建築部材を示す情報として、例えば、柱の符号や、柱の位置情報（座標等）を用いることができる。また、柱の場合、作業対象の工区を示す情報として、少なくとも、作業対象の階を示す情報を特定できればよい。
【００４７】
ステップＳ４１：柱比較部３４は、柱リスト情報４３を読み込む。
ステップＳ４２：柱比較部３４は、柱リスト情報４３から、作業対象の階における、作業対象の柱の寸法及び配筋情報（例えば主筋の本数及び径）（Ａ）を特定する。
ステップＳ４３：柱比較部３４は、柱リスト情報４３から、作業対象の階の１つ上の階（高さ方向における次の工区）における、作業対象の柱に連続して施工される柱（作業対象の柱と接合される柱）の寸法及び配筋情報（例えば主筋の本数及び径）（Ｂ）を特定する。
【００４８】
ステップＳ４４：柱比較部３４は、ステップＳ４２で特定した、作業対象の工区の階における作業対象の柱の寸法及び配筋情報（Ａ）、並びにステップＳ４３で特定した、作業対象の工区の階の１つ上の階における、作業対象の柱に連続して施工される柱の寸法及び配筋情報（Ｂ）を比較する。
【００４９】
なお、このような比較について、図１０に示した柱リスト２３から抽出される柱リスト情報４３の具体例を用いて説明する。例えば、作業対象の階が「２階」であって、作業対象の柱が符号「Ｃ１」の柱であるとする。この場合、次の階は「３階」となる。そして「２階」と「３階」とでは、符号「Ｃ１」の柱の寸法「９００ミリ」、主筋の本数及び径「２０−Ｄ３８」が共通する。このため、両工区において、柱の寸法及び配筋情報ともに一致している。
【００５０】
一方、作業対象の工区が「１階」であって、作業対象の柱が符号「Ｃ１」の柱であるとする。この場合、次の階は「２階」となる。そして、「１階」と「２階」とでは、符号「Ｃ１」の柱の寸法「９００ミリ」は一致しているが、主筋の本数及び径が、「１階」では「２０−Ｄ４１」である一方で、「２階」では「２０−Ｄ３８」となる。このため、両工区において、柱の配筋情報が異なっている。
【００５１】
なお、ステップＳ４２〜ステップＳ４４の処理において比較対象とする寸法及び配筋情報は、建築部材の構造情報の一例である。例えば、比較対象は、寸法及び配筋情報のいずれか一方であってもよく、また、そもそもこれらに限定されるものでもない。すなわち、次の階における構造情報が作業対象の階における作業に対して影響を与えるような構造情報であれば、いかなる構造情報でも対象となり得る。
【００５２】
ステップＳ４５：柱比較部３４は、ステップＳ４４で比較した（Ａ）及び（Ｂ）が同一か否かを判定する。両者が同一である場合にはステップＳ４６に進み（Ｙｅｓ）、両者が異なる場合にはステップＳ４７に進む（Ｎｏ）。
ステップＳ４６：柱比較部３４は、両者が同一である旨を示す通知を、作業者に対する提示内容とする。例えば、柱比較部３４は、「現在作業中の階と次の階とにおいて、作業対象の柱Ｃ１の寸法及び配筋情報は一致しています」といったメッセージを、作業者に対する提示内容として決定する。
【００５３】
ステップＳ４７：柱比較部３４は、両者が異なっている旨を示す通知（警告）を含んだ情報、例えば、当該通知及びどのように異なっているかを示す具体的内容を、作業者に対する提示内容とする。一例として、柱比較部３４は、「現在作業中の階と上階とにおいて、作業対象の柱Ｃ１の配筋情報が異なっています」といったメッセージとともに、「主筋が［２０−Ｄ４１］から［２０−Ｄ３８］に変わります」といった具体的内容を、作業者に対する提示内容として決定する。
なお、上記ステップＳ４６及びステップＳ４７のいずれの場合においても、柱リスト情報４３に含まれる、作業対象の工区における作業対象の柱の構造情報及び次の工区において作業対象の柱に連続して施工される柱の構造情報の全体をさらに提示してもよい。
【００５４】
〔４−２−２．梁比較処理〕
次に、梁比較処理について、図２４を参照しながら説明する。ここで、梁の場合、前述のステップＳ３２で記載した作業対象の建築部材を示す情報として、例えば、梁の符号や、梁の位置情報（座標等）を用いることができる。また、梁の場合、作業対象の工区を示す情報として、例えば、平面方向の工区を識別する情報（例えば当該工区を示す識別子や、工区の領域を示す座標等）、及び階を示す情報（複数階の場合）を用いることができる。
【００５５】
ステップＳ５１：梁比較部３５は、梁リスト情報４４及び平面図情報４２を読み込む。
ステップＳ５２：梁比較部３５は、作業対象の階の平面図情報４２を参照し、作業対象の梁が、工区境界線と交差するか否かを判定する。交差するときにはステップＳ５３に進み（Ｙｅｓ）、交差しないときには当該梁比較処理を終了する。
【００５６】
ステップＳ５３：梁比較部３５は、作業対象の梁と工区境界線とが交差している位置を特定し、当該位置に応じて、作業対象の工区における作業対象の梁の部位（端部又は中央部）を特定する。例えば、当該位置が、作業対象の梁における左端から４分の１の範囲内に含まれており、作業対象の工区が、当該工区境界線の左側の領域である場合には、当該作業対象の工区における作業対象の梁の部位が端部であると特定することができる。なお、一般に、工区は梁の中央近辺で区切られることはない。
【００５７】
ステップＳ５４：梁比較部３５は、梁リスト情報４４から、作業対象の工区における作業対象の梁の部位（すなわちステップＳ５３で特定した部位）の配筋情報（例えば上端筋及び下端筋の本数及び径）（Ａ）を特定する。
ステップＳ５５：梁比較部３５は、梁リスト情報４４から、作業対象の工区に隣接する次の工区における作業対象の梁の部位（すなわち端部及び中央部のうちステップＳ５３で特定した部位と異なる方の部位）の配筋情報（Ｂ）を特定する。
【００５８】
ステップＳ５６：梁比較部３５は、ステップＳ５４で特定した、作業対象の工区における作業対象の梁の部位の配筋情報（Ａ）、及びステップＳ５５で特定した、作業対象の工区に隣接する次の工区における作業対象の梁の部位の配筋情報（Ｂ）を比較する。
【００５９】
なお、このような比較について、図７〜図９に示した、平面図に対して工区境界線を描画した平面図情報４２、及び図１２に示した梁リスト２４から抽出される梁リスト情報４４の具体例を用いて説明する。例えば、作業対象の高さ方向の工区が「３階」であり、作業対象の梁が、図９に示した３階の平面図に示される符号「Ｇ２」の［Ｘ２〜Ｘ３，Ｙ１］の位置に存在する梁であって、かつ、作業対象の平面方向の工区が当該３階の平面図における工区境界線の左側の領域であるとする。当該工区境界線は、当該作業対象の梁と交差している。さらに、当該工区境界線は、当該作業対象の梁の「端部」と交差しているものとする。この場合、作業対象の工区に含まれる当該作業対象の梁の部位は「端部」である。そして、配筋作業が１階において左側の工区から右側の工区への順番で行われるとすると、当該作業対象の工区に隣接する次の工区の梁の部位は「中央部」である。ここで、図１２の梁リスト２４を参照すると、当該作業対象の符号「Ｇ２」の梁における、「３階」の梁の配筋情報は、梁全体において共通しているため、両工区において梁の配筋情報は一致している。
【００６０】
一方、同様に作業対象の高さ方向の工区が「２階」であり、作業対象の梁が、図８に示した２階の平面図に示される符号「Ｇ２」の［Ｘ２〜Ｘ３，Ｙ１］の位置に存在する梁であって、かつ、作業対象の平面方向の工区が当該２階の平面図における工区境界線の左側の領域であるとする。当該工区境界線は、当該作業対象の梁と交差している。さらに、当該工区境界線は、当該作業対象の梁の「端部」と交差しているものとする。この場合、作業対象の工区に含まれる当該作業対象の梁の部位は「端部」である。そして、配筋作業が２階において左側の工区から右側の工区への順番で行われるとすると、当該作業対象の工区に隣接する次の工区の梁の部位は「中央部」である。この場合、図１２の梁リスト２４を参照すると、当該作業対象の符号「Ｇ２」の梁における、「２階」の梁の配筋情報は、例えば、「端部」では上端筋及び下端筋ともに「６−Ｄ２９」である一方、「中央部」では「４−Ｄ２９」である。このため、両工区において梁の配筋情報は異なっている。
【００６１】
なお、上記処理において比較対象としている梁の配筋情報は、建築部材の構造情報の一例であり、これに限定されるものではない。すなわち、次の工区における構造情報が作業対象の工区における作業に対して影響を与えるような構造情報であれば、いかなる構造情報でも対象となり得る。
【００６２】
ステップＳ５７：梁比較部３５は、ステップＳ５６で比較した（Ａ）及び（Ｂ）が同一か否かを判定する。両者が同一である場合にはステップＳ５８に進み（Ｙｅｓ）、両者が異なる場合にはステップＳ５９に進む（Ｎｏ）。
ステップＳ５８：梁比較部３５は、両者が同一である旨を示す通知を、作業者に対する提示内容とする。例えば、梁比較部３５は、「現在作業中の工区と次の工区とにおいて、作業対象の梁Ｇ２の配筋情報は一致しています」といったメッセージを、作業者に対する提示内容として決定する。
【００６３】
ステップＳ５９：柱比較部３４は、両者が異なっている旨を示す通知（警告）を含んだ情報、例えば、当該通知及びどのように異なっているかを示す具体的内容を、作業者に対する提示内容とする。例えば、梁比較部３５は、「現在作業中の工区と次の工区とにおいて、作業対象の梁Ｇ２の配筋情報が異なっています」といったメッセージとともに、「上端筋及び下端筋が［６−Ｄ２９］から［４−Ｄ２９］に変わります」といった具体的内容を、作業者に対する提示内容として決定する。
なお、上記ステップＳ５８及びステップＳ５９のいずれの場合においても、梁リスト情報４４に含まれる、作業対象の工区における作業対象の梁の構造情報及び次の工区における作業対象の梁の構造情報の全体をさらに提示してもよい。
【００６４】
〔４−２−３．床比較処理〕
次に、床比較処理について、図２５を参照しながら説明する。ここで、床の場合、前述のステップＳ３２で記載した作業対象の建築部材を示す情報として、例えば、床の符号や、床の位置情報（座標等）を用いることができる。また、床の場合、作業対象の工区を示す情報として、例えば、平面方向の工区を識別する情報（例えば当該工区を示す識別子や、工区の領域を示す座標等）、及び階を示す情報（複数階の場合）を用いることができる。
【００６５】
ステップＳ６１：床比較部３６は、床リスト情報４５及び平面図情報４２を読み込む。
ステップＳ６２：床比較部３６は、作業対象の階の平面図情報４２を参照し、作業対象の床が、工区境界線と交差するか否かを判定する。交差するときにはステップＳ６３に進み（Ｙｅｓ）、交差しないときには当該床比較処理を終了する。
【００６６】
ステップＳ６３：床比較部３６は、作業対象の床と工区境界線とが交差している位置を特定し、当該位置に応じて、作業対象の工区における作業対象の床の部位（周辺部又は中間部）を特定する。例えば、当該位置が、作業対象の床における左端から４分の１の範囲内に含まれており、作業対象の工区が、当該工区境界線の左側の領域である場合には、当該作業対象の工区における作業対象の床の部位が周辺部であると特定することができる。なお、一般に、工区は床の中央近辺で区切られることはない。
【００６７】
ステップＳ６４：床比較部３６は、床リスト情報４５から、作業対象の工区における作業対象の床の部位（すなわちステップＳ６３で特定した部位）の配筋情報（例えば上端筋及び下端筋の本数及び径）（Ａ）を特定する。
ステップＳ６５：床比較部３６は、床リスト情報４５から、作業対象の工区に隣接する次の工区における作業対象の床の部位（すなわち周辺部及び中間部のうちステップＳ６３で特定した部位と異なる方の部位）の配筋情報（Ｂ）を特定する。
【００６８】
ステップＳ６６：床比較部３６は、ステップＳ６４で特定した、作業対象の工区における作業対象の床の部位の配筋情報（Ａ）、及びステップＳ６５で特定した、作業対象の工区に隣接する次の工区における作業対象の床の部位の配筋情報（Ｂ）を比較する。
【００６９】
なお、このような比較について、図７〜図９に示した、平面図に対して工区境界線を描画した平面図情報４２、及び図１５に示した床リスト２５から抽出される床リスト情報４５の具体例を用いて説明する。例えば、作業対象の階が「１階」であり、作業対象の床が符号「Ｓ２」の床であって、かつ、作業対象の平面方向の工区が図７に示した１階の平面図における工区境界線の左側の領域であるとする。当該工区境界線は、当該作業対象の床と交差している。さらに、当該工区境界線は、符号「Ｓ２」の床の「周辺部」と交差しているものとする。この場合、作業対象の工区に含まれる当該作業対象の床の部位は「周辺部」である。そして、当該例では配筋作業が左側の工区から右側の工区への順番で行われるとすると、当該作業対象の工区に隣接する次の工区の床の部位は「中間部」である。ここで、図１５の床リスト２５を参照すると、当該作業対象の符号「Ｓ２」の床の配筋情報は、床全体において共通している。このため、両工区において床の配筋情報は一致している。
【００７０】
一方、作業対象の高さ方向の工区が「２階」であり、作業対象の床が符号「Ｓ３」の床であって、かつ、作業対象の平面方向の工区が図８に示した２階の平面図における工区境界線の左側の領域であるとする。当該工区境界線は、当該作業対象の梁と交差している。さらに、当該工区境界線は、符号「Ｓ３」の床の「周辺部」と交差しているものとする。この場合、作業対象の工区に含まれる当該作業対象の床の部位は「周辺部」である。そして、当該例では配筋作業が左側の工区から右側の工区への順番で行われるとすると、当該作業対象の工区に隣接する次の工区の床の部位は「中間部」である。ここで、図１５の床リスト２５を参照すると、当該作業対象の符号「Ｓ３」の床の配筋情報は、少なくとも下端筋が、「周辺部」では「Ｄ１３＠２００」である一方、「中間部」では「Ｄ２３＠２００（端部）及びＤ１０＋Ｄ１３＠１００（中央部）」である。このため、両工区において床の配筋情報は異なっている。
【００７１】
なお、上記処理において比較対象としている床の配筋情報は、建築部材の構造情報の一例であり、これに限定されるものではない。例えば、周辺部及び中間部における配筋情報のみならず、さらに、周辺部における端部及び中央部で工区が切り替わるような場合、周辺部における端部及び中央部の配筋情報を比較対象としてもよい。すなわち、次の工区における構造情報が作業対象の工区における作業に対して影響を与えるような構造情報であれば、いかなる構造情報でも対象となり得る。
【００７２】
ステップＳ６７：床比較部３６は、ステップＳ６６で比較した（Ａ）及び（Ｂ）が同一か否かを判定する。両者が同一である場合にはステップＳ６８に進み（Ｙｅｓ）、両者が異なる場合にはステップＳ６９に進む（Ｎｏ）。
ステップＳ６８：床比較部３６は、両者が同一である旨を示す通知を、作業者に対する提示内容とする。例えば、床比較部３６は、「現在作業中の工区と次の工区とにおいて、作業対象の床Ｓ２の配筋情報は一致しています」といったメッセージを、作業者に対する提示内容として決定する。
【００７３】
ステップＳ６９：床比較部３６は、両者が異なっている旨を示す通知（警告）を含んだ情報、例えば、当該通知及びどのように異なっているかを示す具体的内容を、作業者に対する提示内容とする。例えば、床比較部３６は、「現在作業中の工区と次の工区とにおいて、作業対象の床Ｓ１の配筋情報が異なっています」といったメッセージとともに、「下端筋が［Ｄ１０＋Ｄ１３＠１００］から［Ｄ１３＠２００］に変わります」といった具体的内容を、作業者に対する提示内容として決定する。
なお、上記ステップＳ６８及びステップＳ６９のいずれの場合においても、床リスト情報４５に含まれる、作業対象の工区における作業対象の床の構造情報及び次の工区における作業対象の床の構造情報の全体をさらに提示してもよい。
【００７４】
〔４−２−４．壁比較処理〕
次に、壁比較処理について、図２６を参照しながら説明する。ここで、壁の場合、前述のステップＳ３２で記載した作業対象の建築部材を示す情報として、例えば、壁の符号や、壁の位置情報（座標等）を用いることができる。また、壁の場合、作業対象の工区を示す情報として、少なくとも、作業対象の階を示す情報を特定できればよい。
【００７５】
ステップＳ７１：壁比較部３７は、壁リスト情報４６及び平面図情報４２を読み込む。
ステップＳ７２：壁比較部３７は、作業対象の階の平面図情報４２を参照し、作業対象の階における、作業対象の壁の位置情報（Ａ）を特定する。
ステップＳ７３：壁比較部３７は、作業対象の階の１つ上の階の平面図情報４２を参照し、作業対象の階の１つ上の階における、作業対象の壁に連続して施工される壁の位置情報（Ｂ）を特定する。なお、壁の場合、「作業対象の壁に連続して施工される壁」とは、作業対象の壁と同じ符号を有する壁（同じ符号を有する壁は配筋情報が共通する）であって、作業対象の階と次の階との両方に施工される壁を示す。ここで、壁の場合、このような壁が、そもそも１つ上の階に存在しない場合がある。このような場合には、例えば、該当する壁が存在しない旨を特定可能な所定値を位置情報として用いてもよい。
【００７６】
ステップＳ７４：壁比較部３７は、ステップＳ７２で特定した、作業対象の階における作業対象の壁の位置情報（Ａ）、並びにステップＳ７３で特定した、作業対象の階の１つ上の階における、作業対象の壁に連続して施工される壁の位置情報（Ｂ）を比較する。
【００７７】
なお、このような比較について、図７〜図９に示した平面図情報４２の具体例を用いて説明する。例えば、作業対象の工区が「２階」であって、作業対象の壁が図８に示した２階の平面図における符号「Ｗ１８」の［Ｘ１〜Ｘ３，Ｙ１］の位置に存在する壁であるとする。この場合、高さ方向における次の工区は「３階」となる。ここで、図９に示した３階の平面図を参照すると、当該作業対象の壁と同じ位置、すなわち、［Ｘ１〜Ｘ３，Ｙ１］の位置に、同じ符号「Ｗ１８」の壁が存在している。このため、両工区における壁の位置情報が一致している。
【００７８】
一方、例えば、作業対象の工区が「２階」であって、作業対象の壁が図８に示した２階の平面図における符号「Ｗ１８」の［Ｘ２，Ｙ１〜Ｙ３］の位置に存在する壁であるとする。この場合、高さ方向における次の工区は「３階」となる。ここで、図９に示した３階の平面図を参照すると、同じ符号「Ｗ１８」の壁が存在しているものの、当該［Ｘ２，Ｙ１〜Ｙ３］の位置には存在しない。このため、両工区における壁の位置情報が異なっている。
【００７９】
なお、ステップＳ７２〜ステップＳ７４の処理において比較対象とする壁の位置情報は、建築部材の構造情報の一例であり、これに限定されるものではない。すなわち、次の工区における構造情報が作業対象の工区における作業に対して影響を与えるような構造情報であれば、いかなる構造情報でも対象となり得る。
【００８０】
ステップＳ７５：壁比較部３７は、ステップＳ７４で比較した（Ａ）及び（Ｂ）が同一か否かを判定する。両者が同一である場合にはステップＳ７６に進み（Ｙｅｓ）、両者が異なる場合にはステップＳ７７に進む（Ｎｏ）。
ステップＳ７６：壁比較部３７は、両者が同一である旨を示す通知を、作業者に対する提示内容とする。例えば、壁比較部３７は、「現在作業中の階と上階とにおいて、作業対象の壁Ｗ１８の壁の位置は一致しています」といったメッセージを、作業者に対する提示内容として決定する。
【００８１】
ステップＳ７７：壁比較部３４は、両者が異なっている旨を示す通知（警告）を含んだ情報、例えば、当該通知及びどのように異なっているかを示す具体的内容を、作業者に対する提示内容とする。一例として、壁比較部３４は、「現在作業中の階と上階とにおいて、作業対象の壁Ｗ１８の位置が異なっています」といったメッセージとともに、「上階では壁Ｗ１８の位置に壁は存在しません」といった具体的内容を、作業者に対する提示内容として決定する。
【００８２】
なお、上記の比較処理において、例えば、作業対象の壁と同じ位置に壁が存在するものの、符号が異なる壁である場合に、さらに壁抽出リストを参照し、作業対象の階と次の階とで同じ位置に存在する壁の配筋情報等を比較してもよい。そして、配筋情報等が異なっていれば、上記のステップＳ７７に進み、両者が異なっている旨を示す通知及びどのように異なっているかを示す具体的内容を、作業者に対して提示するようにしてもよい。
また、上記ステップＳ７６及びステップＳ７７のいずれの場合においても、作業対象の階及び次の階の平面図情報４２をさらに提示してもよい。また、壁リスト情報４６に含まれる、作業対象の階における作業対象の壁の構造情報等をさらに提示してもよい。
【００８３】
なお、例えば、作業対象の階において存在しない壁が次の階では存在するような場合、作業対象の階の次の階の壁を指定し、当該壁と作業対象の階における壁の位置情報とを比較することで、壁の位置の変化を検出することは可能である。
また、このような場合における壁の位置の変化も含めて検出するべく、作業対象の階における全ての壁の位置情報と、次の階における全ての壁の位置情報とを比較する壁比較処理を行なってもよい。以下、このような壁比較処理（変形例）について、図２７を参照しながら説明する。
【００８４】
ステップＳ８１：壁比較部３７は、壁リスト情報４６及び平面図情報４２を読み込む。
ステップＳ８２：壁比較部３７は、作業対象の階の平面図情報４２を参照し、作業対象の階における、全ての壁の位置情報（それぞれの壁の座標等）（Ａ）を特定する。
ステップＳ８３：壁比較部３７は、作業対象の階の１つ上の階の平面図情報４２を参照し、作業対象の階の１つ上の階における、全ての壁の位置情報（Ｂ）を特定する。
【００８５】
ステップＳ８４：壁比較部３７は、ステップＳ８２で特定した、作業対象の階における全ての壁の位置情報（Ａ）、並びにステップＳ８３で特定した、作業対象の階の１つ上の階における、全ての壁の位置情報（Ｂ）を比較する。そして、一方の階にあって他方の階に存在しない壁を特定する。
【００８６】
なお、このような比較について、図７〜図９に示した平面図情報４２の具体例を用いて説明する。例えば、作業対象の工区が「１階」である場合、「１階」に存在する全ての壁の位置情報と、「２階」に存在する全ての壁の位置情報とを比較する。ここで、「１階」と「２階」とで、符号「Ｗ１８」の［Ｘ１〜Ｘ２，Ｙ１］、［Ｘ２〜Ｘ３，Ｙ１］、［Ｘ１〜Ｘ２，Ｙ３］、［Ｘ２〜Ｘ３，Ｙ３］、符号「Ｗ２５」の［Ｘ１，Ｙ１〜Ｙ２］、［Ｘ１，Ｙ２〜Ｙ３］、［Ｘ３，Ｙ１〜Ｙ３］の位置に存在する壁は一致する。一方で、「２階」に存在する、符号「Ｗ１８」の［Ｘ２，Ｙ１〜Ｙ３］の位置に存在する壁は、「１階」には存在しない。このため、両工区における壁の位置情報が異なっている。
【００８７】
ステップＳ８５：壁比較部３７は、ステップＳ８４で比較した（Ａ）及び（Ｂ）が同一か否かを判定する。両者が同一である場合にはステップＳ８６に進み（Ｙｅｓ）、両者が異なる場合にはステップＳ８７に進む（Ｎｏ）。
ステップＳ８６：壁比較部３７は、両者が同一である旨を示す通知を、作業者に対する提示内容とする。例えば、壁比較部３７は、「現在作業中の階と次の階とにおいて、壁の配置は全て一致しています」といったメッセージを、作業者に対する提示内容として決定する。
【００８８】
ステップＳ８７：柱比較部３４は、両者が異なっている旨を示す通知（警告）を含んだ情報、例えば、当該通知及びどのように異なっているかを示す具体的内容を、作業者に対する提示内容とする。一例として、柱比較部３４は、「現在作業中の階と次の階とにおいて、壁の配置が異なる箇所があります」といったメッセージとともに、「次の階では、［Ｘ２，Ｙ１〜Ｙ３］の位置に、符号「Ｗ１８」の壁が存在します」といった具体的内容を、作業者に対する提示内容として決定する。
【００８９】
〔５．作業指示端末における表示画面の一例〕
ここで、前述した作業指示端末３の処理において、作業指示端末３においてディスプレイに表示する画面の一例を、図２８〜図２９に示す。
【００９０】
図２８は、作業対象を指定する入力画面の一例を示す。作業対象を指定する入力画面は、作業対象の工区を指定する入力項目として、作業対象の階及び平面方向の工区（図２８の画面例では、平面方向の工区を、工区境界線を境とした領域Ａ又はＢとしている）を指定する入力項目を含む。なお、前述したように、例えば柱や壁を対象とする場合は、平面方向の工区の指定は必須ではない。また、当該画面は、一例として、作業対象の階や平面方向の工区の入力に応じて、対象となる平面図を表示する領域を有する。そして、当該画面は、作業対象となる建築部材、建築部材の符号、建築部材の位置のＸ座標及びＹ座標の入力項目を有する。なお、例えば、これらの入力項目の入力に代えて、平面図上で作業対象の建築部材をクリックする等の操作によって、作業対象の建築部材を特定することを可能にしてもよい。さらに、当該画面は、これらの入力に基づいて特定される建築部材についての、次の工区との構造の比較を実行するための「比較実行」ボタンを有する。
【００９１】
そして、図２９は、比較結果を表示する画面の一例を示す。図２９では、柱の比較結果の例を示している。比較結果を表示する画面は、図２９に示すように、比較結果のメッセージ領域を有する。さらに、当該画面は、一例として、作業対象の工区及び次の工区における、建築部材の構造情報の詳細を示す領域を有する。例えば、柱の場合は、柱リスト情報４３に含まれる、断面、主筋、フープ及びタイフープの情報を表示する。そして、作業対象の工区及び次の工区において異なっている箇所を、網掛けや太字にして強調表示することにより、作業者の注意を喚起させている。さらに、当該画面例では、構造情報がどのように異なっているかを示すメッセージ領域を有する。
【００９２】
〔６．サーバ及び作業指示端末のハードウェア構成〕
最後に、サーバ２及び作業指示端末３としてそれぞれ機能する情報処理装置（コンピュータ）のハードウェア構成の一例を図７に示す。当該情報処理装置は、一例として、プロセッサ９０１、メモリ９０２、ストレージ９０３、可搬記憶媒体駆動装置９０４、入出力装置９０５及び通信インタフェース９０６を備える。
【００９３】
プロセッサ９０１は、制御ユニット、演算ユニット及び命令デコーダ等を含む。実行ユニットが、命令デコーダで解読されたプログラムの命令に従い、制御ユニットより出力される制御信号に応じ、演算ユニットを用いて算術・論理演算を実行する。かかるプロセッサ９０１は、制御に用いる各種情報が格納される制御レジスタ、既にアクセスしたメモリ２等の内容を一時的に格納可能なキャッシュ、及び、仮想記憶のページテーブルのキャッシュとしての機能を果たすＴＬＢ（Translation Lookaside Buffer）を備える。なお、プロセッサ９０１は、ＣＰＵ（Central Processing Unit）コアが複数設けられている構成でもよい。
【００９４】
メモリ９０２は、例えばＲＡＭ（Random Access Memory）等の記憶装置であり、プロセッサ９０１で実行される配筋作業支援プログラムがロードされるとともに、プロセッサ９０１の処理に用いるデータが格納されるメインメモリである。また、ストレージ９０３は、例えばＨＤＤ（Hard Disk Drive）やフラッシュメモリ等の記憶装置であり、プログラムや各種データが格納される。可搬記憶媒体駆動装置９０４は、可搬記憶媒体９０７に記憶されたデータやプログラムを読み出す装置である。可搬記憶媒体９０７は、例えば磁気ディスク、光ディスク、光磁気ディスク又はフラッシュメモリ等である。プロセッサ９０１は、メモリ９０２やストレージ９０３と協働しつつ、ストレージ９０３や可搬記憶媒体９０７に格納されたプログラムを実行する。なお、プロセッサ９０１が実行するプログラムや、アクセス対象となるデータは、当該コンピュータと通信可能な他の装置に格納されていてもよい。
【００９５】
入出力装置９０５は例えばキーボードやタッチパネル、ディスプレイ等であり、ユーザ操作等による動作指示を受け付ける一方、コンピュータによる処理結果を出力する。
通信インタフェース９０６は、例えば、例えばＬＡＮ（Local Area Network）カード等の他、無線周波受信機および送信機、ならびに光受信機および送信機を含むことができる。前述の受信機および送信機は、Ｗｉ−Ｆｉネットワーク、Bluetooth（登録商標）ネットワーク、ロング・ターム・エボリューションなどの１つまたは複数の通信ネットワークにより動作するように実現することができる。前述したように、本実施形態において、サーバ２及び作業指示端末３は、相互に無線通信を行っている。
これらのコンピュータの各構成要素は、バス９０８で接続されている。
【００９６】
〔７．本実施形態による効果、変形例等〕
本実施形態によれば、作業者が、作業指示端末において作業対象の建築部材と工区とを入力することで、作業対象の工区と次の工区とにおける建築部材の構造が比較され、その比較結果が表示される。このため、配筋作業の作業者等が、現在作業中の工区と次の工区とにおける建築部材の構造の比較結果を参照することができる。そして、作業者等は、例えば、比較結果が同一であった場合には、特別な仕込み作業を行う必要がないと判断することができ、また、比較結果が異なる場合には、相違内容に対応する仕込み作業を行うことを決定することができる。このように、作業者等は、現在作業中の工区の次の工区における建築部材の構造に対応した仕込み作業を適切に行うことができるようになる。
【００９７】
より具体的には、本実施形態によれば、建築部材の種類に応じて、適切な比較処理が実行される。
例えば、建築部材が柱である場合には、作業対象の階における作業対象の柱と、当該階の上階において当該作業対象の柱と連続して施工される柱とにおける寸法や配筋情報が比較され、比較結果が出力される。このため、作業者等は、例えば、次の階において柱の寸法や配筋が変わる場合に、その変化に備えた準備を適切に行っておくことができる。
【００９８】
また、建築部材が梁である場合には、作業対象の梁が工区をまたがるときに、工区境界線が作業対象の梁と交差している位置に応じて、作業対象の工区における作業対象の梁の部位の配筋情報と、当該作業対象の工区に隣接する工区に含まれる作業対象の梁の部位の配筋情報とが比較され、比較結果が出力される。このため、作業者等は、例えば、次の工区において梁の配筋が変わる場合に、その変化に備えた準備を適切に行っておくことができる。
【００９９】
さらに、建築部材が床である場合には、作業対象の床が工区をまたがるときに、工区境界線が作業対象の床と交差している位置に応じて、作業対象の工区における作業対象の床の部位の配筋情報と、当該作業対象の工区に隣接する工区に含まれる作業対象の床の部位の配筋情報とが比較され、比較結果が出力される。このため、作業者等は、例えば、次の工区において床の配筋が変わる場合に、その変化に備えた準備を適切に行っておくことができる。
【０１００】
また、建築部材が壁である場合には、作業対象の階における作業対象の壁の位置情報と、当該階の上階において当該作業対象の壁と連続して施工される壁とにおける位置情報が比較され、比較結果が出力される。このため、作業者等は、例えば、上階において壁の位置が変わる場合に、その変化に備えた差筋等を適切に行っておくことができる。さらには、前述したように、建築部材が壁である場合には、作業対象の階と上階における全ての壁の位置情報を比較して、比較結果を出力してもよい。このようにしても、作業者等は、上階において壁の位置が変わる場合に、その変化に備えた準備を適切に行っておくことができる。
また、前述した壁比較処理の変形例によれば、作業対象の階における全ての壁の位置情報と、次の階における全ての壁の位置情報とを比較されるため、作業対象の階において存在しない壁が次の階では存在するような場合における壁の位置の変化も含めて検出することができる。
【０１０１】
なお、比較結果は、例えば、作業対象の建築部材の構造が作業対象の工区と次の工区とで異なる場合にのみ、出力するようにしてもよい。
ここで、本実施形態では、図２０のステップＳ７及び図２２のステップＳ３２において、作業対象の工区及び作業対象の建築部材を特定する情報が入力され、当該情報を取得することを想定して説明を行った。このようにすることで、作業者は、施工作業の進捗状況にあわせてこれらの情報を入力すれば、作業対象とする建築部材についての構造の比較結果を、適切なタイミングで得ることができる。しかしながら、情報の入力自体は必須ではなく、予め作業対象の工区及び作業対象の建築部材を特定する情報を記憶手段に設定しておき、当該情報を読み込むことによって作業対象の工区及び作業対象の建築部材を特定してもよい。
【０１０２】
また、例えば、複数の工区や建築部材をまとめて指定できるようにしてもよい。具体的には、施工対象の構造物全体における作業対象の建築部材及び作業対象の工区をまとめて指定したり、ある工区における全ての建築部材を指定したりすることも可能である。この場合、図２２に示したステップＳ３２からステップ３９の処理を、複数の作業対象の建築部材及び作業対象の工区を対象として順次実行し、全体の比較結果をまとめて出力するようにしてもよい。
【０１０３】
さらに、本実施形態における配筋作業支援システムでは、サーバ２と作業指示端末３とで分担して処理を行なっているが、このようなシステム構成に限定されるものではない。例えば、全ての処理を１つの情報処理装置で全て行うようにしてもよい。具体的には、ＣＡＤデータを予め作業指示端末３の記憶手段に格納しておき、建築部材の情報を抽出する処理から作業指示端末３で行うようにしてもよい。
【０１０４】
［その他］
本実施形態で説明した機能的構成及び物理的構成は、前述の態様に限定されるものではなく、例えば、各機能や物理資源を統合して実装したり、逆に、さらに分散して実装したりすることも可能である。
【符号の説明】
【０１０５】
１…配筋作業支援システム、２…サーバ、３…作業指示端末、４…ネットワーク、１１…ＣＡＤデータ読込部、１２…工区境界線設定部、１３…データ抽出部、１４…抽出データ送信部、２１…ＣＡＤデータ、２２…平面図、２３…柱リスト、２４…梁リスト、２５…床リスト、２６…壁リスト、３１…抽出データ受信部、３２…対象特定部、３３…構造比較部、３４…柱比較部、３５…梁比較部、３６…床比較部、３７…壁比較部、３８…出力部、４１…抽出データ、４２…平面図情報、４３…柱リスト情報、４４…梁リスト情報、４５…床リスト情報、４６…壁リスト情報
【図１】
2016108846.tif 000003
【図２】
2016108846.tif 000004
【図３】
2016108846.tif 000005
【図４】
2016108846.tif 000006
【図５】
2016108846.tif 000007
【図６】
2016108846.tif 000008
【図７】
2016108846.tif 000009
【図８】
2016108846.tif 000010
【図９】
2016108846.tif 000011
【図１０】
2016108846.tif 000012
【図１１】
2016108846.tif 000013
【図１２】
2016108846.tif 000014
【図１３】
2016108846.tif 000015
【図１４】
2016108846.tif 000016
【図１５】
2016108846.tif 000017
【図１６】
2016108846.tif 000018
【図１７】
2016108846.tif 000019
【図１８】
2016108846.tif 000020
【図１９】
2016108846.tif 000021
【図２０】
2016108846.tif 000022
【図２１】
2016108846.tif 000023
【図２２】
2016108846.tif 000024
【図２３】
2016108846.tif 000025
【図２４】
2016108846.tif 000026
【図２５】
2016108846.tif 000027
【図２６】
2016108846.tif 000028
【図２７】
2016108846.tif 000029
【図２８】
2016108846.tif 000030
【図２９】
2016108846.tif 000031
【図３０】
2016108846.tif 000032